(57)【特許請求の範囲】
【請求項１】
吸込口（１１ａ，１１ｂ，１１ｄ）から吸い込んだ空気をフィルタ（１５）を介して吹出口（１１ｃ）から吹き出す空気清浄機本体（１，１Ａ，１Ｂ）と、
清掃部材（３）を内部空間に収納可能にする清掃部材収納ボックス（２）と、
上記清掃部材収納ボックス（２）から上記空気清浄機本体に吸い込まれる空気中の塵埃の量を検知するための塵埃量検知部（５３）と
を備え、
上記清掃部材収納ボックス（２）は、上記空気清浄機本体（１，１Ａ，１Ｂ）に、着脱可能に取り付けられ、
上記清掃部材収納ボックス（２）が上記空気清浄機本体（１，１Ａ，１Ｂ）に取り付けられた状態で、上記清掃部材収納ボックス（２）の上記内部空間と、上記空気清浄機本体（１，１Ａ，１Ｂ）の上記吸込口の一部（１１ｄ）とは、連通し、
上記空気清浄機本体（１Ａ，１Ｂ）は、
通常運転の吸込風量よりも吸込風量の多いターボ運転の開始または停止を切り換える運転切換部（５１）と、
上記清掃部材収納ボックス（２）が上記空気清浄機本体（１Ａ，１Ｂ）に取り付けられていると判断したとき、ターボ運転を開始するように上記運転切換部（５１）を制御する制御部（５０Ａ，５０Ｂ）と
を備え、
上記制御部（５０Ｂ）は、
上記塵埃量検知部（５３）の検知結果に基づいて、上記清掃部材収納ボックス（２）から上記空気清浄機本体（１Ｂ）に吸い込まれる空気中の塵埃の量が設定値よりも小さいと判断したとき、ターボ運転を停止するように上記運転切換部（５１）を制御することを特徴とする空気清浄機ユニット。
【請求項２】
請求項１に記載の空気清浄機ユニットにおいて、
上記清掃部材収納ボックス（２）が上記空気清浄機本体（１Ａ，１Ｂ）に取り付けられているか否かを検知する清掃部材収納ボックス取付検知部（５２）を有し、
上記制御部（５０Ａ，５０Ｂ）は、上記清掃部材収納ボックス取付検知部（５２）の検知結果に基づいて、上記清掃部材収納ボックス（２）が上記空気清浄機本体（１Ａ，１Ｂ）に取り付けられているか否かを判断することを特徴とする空気清浄機ユニット。
【請求項３】
請求項２に記載の空気清浄機ユニットにおいて、
上記制御部（５０Ａ）は、上記清掃部材収納ボックス取付検知部（５２）の検知結果に基づいて、上記清掃部材収納ボックス（２）が上記空気清浄機本体（１Ａ）から取り外されていると判断したとき、ターボ運転を停止するように上記運転切換部（５１）を制御することを特徴とする空気清浄機ユニット。
【請求項４】
請求項１から３の何れか一つに記載の空気清浄機ユニットにおいて、
上記清掃部材収納ボックス（２）は、磁石（２７）を介して、上記空気清浄機本体（１，１Ａ，１Ｂ）に着脱可能に取り付けられていることを特徴とする空気清浄機ユニット。
【請求項５】
請求項１から４の何れか一つに記載の空気清浄機ユニットにおいて、
上記清掃部材収納ボックス（２）は、係合機構（６０）を介して、上記空気清浄機本体（１，１Ａ，１Ｂ）に着脱可能に取り付けられていることを特徴とする空気清浄機ユニット。
【発明の詳細な説明】
【技術分野】
【０００１】
この発明は、空気清浄機本体と清掃部材収納ボックスとを有する空気清浄機ユニットに関する。
【背景技術】
【０００２】
従来、清掃部材としてのモップの塵埃を除去する装置として、特開２００６−２１８４６１号公報（特許文献１）に開示されたものがある。この塵埃除去装置は、モップを収容してモップから塵埃を除去するケースを備えていた。そして、このケースを掃除機に取り付けることで、掃除機により、ケース内に溜まった塵埃を吸引していた。
【先行技術文献】
【特許文献】
【０００３】
【特許文献１】特開２００６−２１８４６１号公報
【発明の概要】
【発明が解決しようとする課題】
【０００４】
ところで、上記従来の塵埃除去装置の上記ケース内に溜まった塵埃を、上記掃除機にて吸引している最中、掃除機は、ケース内の塵埃を吸引することのみに使用され、同時に、モップ以外の室内の塵埃を吸引することができなかった。
【０００５】
つまり、上記掃除機に上記ケースを取り付けた状態では、常に、掃除機は、モップのみを吸引していた。一方、掃除機を本来の室内の掃除として使用する場合、必ず、掃除機からケースを取り外す必要があった。
【０００６】
このように、掃除機にケースを取り付けた場合、掃除機の室内の塵埃を除去するという本来の機能が失われていた。そもそも、従来では、掃除機にケースを取り付けた状態で、この掃除機を、通常の室内の清掃機能として使用するという思想がなかった。
【０００７】
そこで、この発明の課題は、清掃部材収納ボックスを、空気清浄機本体への取り付けまたは取り外しの何れの状態でも、使用できると共に、清掃部材収納ボックスのこの何れの状態の使用でも、空気清浄機本体の本来の機能を損なうことがない空気清浄機ユニットを提供することにある。
【課題を解決するための手段】
【０００８】
上記課題を解決するため、この発明の空気清浄機ユニットは、
吸込口から吸い込んだ空気をフィルタを介して吹出口から吹き出す空気清浄機本体と、
清掃部材を内部空間に収納可能にする清掃部材収納ボックスと、
上記清掃部材収納ボックスから上記空気清浄機本体に吸い込まれる空気中の塵埃の量を検知するための塵埃量検知部と
を備え、
上記清掃部材収納ボックスは、上記空気清浄機本体に、着脱可能に取り付けられ、
上記清掃部材収納ボックスが上記空気清浄機本体に取り付けられた状態で、上記清掃部材収納ボックスの上記内部空間と、上記空気清浄機本体の上記吸込口の一部とは、連通し、
上記空気清浄機本体は、
通常運転の吸込風量よりも吸込風量の多いターボ運転の開始または停止を切り換える運転切換部と、
上記清掃部材収納ボックスが上記空気清浄機本体に取り付けられていると判断したとき、ターボ運転を開始するように上記運転切換部を制御する制御部と
を備え、
上記制御部は、
上記塵埃量検知部の検知結果に基づいて、上記清掃部材収納ボックスから上記空気清浄機本体に吸い込まれる空気中の塵埃の量が設定値よりも小さいと判断したとき、ターボ運転を停止するように上記運転切換部を制御することを特徴としている。
ここで、「通常運転」とは、通常の運転状態をいい、１つの運転状態に限らず、複数の運転状態、例えば、大中小の３つの運転状態を含んでいてもよい。
【０００９】
この発明の空気清浄機ユニットによれば、上記清掃部材収納ボックスは、上記空気清浄機本体に、着脱可能に取り付けられているので、清掃部材収納ボックスの空気清浄機本体への取り付け状態、または、清掃部材収納ボックスの空気清浄機本体からの取り外し状態の何れの状態でも、清掃部材収納ボックスを使用できる。例えば、清掃部材収納ボックスを、空気清浄機本体から取り外すことで、清掃部材収納ボックスを、所望の場所に持ち運んで使用することができる。一方、清掃部材収納ボックスを、空気清浄機本体に取り付けておくことで、清掃部材収納ボックスを見失うことがない。
【００１０】
そして、上記清掃部材収納ボックスが上記空気清浄機本体に取り付けられた状態で、上記清掃部材収納ボックスの上記内部空間と、上記空気清浄機本体の上記吸込口の一部とは、連通している。これにより、空気清浄機本体に清掃部材収納ボックスを取り付けた状態で、空気清浄機本体は、その吸込口の一部から、清掃部材収納ボックスの内部空間の塵埃を吸引すると同時に、その吸引口の他部から、室内の空気を吸引することができる。このように、空気清浄機本体に清掃部材収納ボックスを取り付けても、空気清浄機本体の室内の空気を清浄するという本来の機能は、損なわれない。言い換えると、清掃部材収納ボックス内の塵埃を吸引させるために、空気清浄機本体による室内の空気の清浄を一旦止めなくてもよく、室内の空気の清浄を行ったまま、清掃部材収納ボックス内の塵埃を吸引できる。
【００１１】
したがって、清掃部材収納ボックスを、空気清浄機本体への取り付けまたは取り外しの何れの状態でも、使用できると共に、清掃部材収納ボックスのこの何れの状態の使用でも、空気清浄機本体の本来の機能は、損なわれない。
【００１２】
【００１３】
【００１４】
また、上記制御部は、上記清掃部材収納ボックスが上記空気清浄機本体に取り付けられていると判断したとき、ターボ運転を開始するように上記運転切換部を制御するので、清掃部材収納ボックスを空気清浄機本体に取り付けたとき、清掃部材収納ボックス内の塵埃を、迅速かつ確実に、吸引できる。
また、上記制御部は、上記清掃部材収納ボックス取付検知部の検知結果に基づいて、上記清掃部材収納ボックスが上記空気清浄機本体から取り外されていると判断したとき、ターボ運転を停止するように上記運転切換部を制御するので、清掃部材収納ボックスを空気清浄機本体から取り外したとき、不要なターボ運転を停止して、消費電力を低減できる。
【００１５】
また、一実施形態の空気清浄機ユニットでは、
上記清掃部材収納ボックスが上記空気清浄機本体に取り付けられているか否かを検知する清掃部材収納ボックス取付検知部を有し、
上記制御部は、上記清掃部材収納ボックス取付検知部の検知結果に基づいて、上記清掃部材収納ボックスが上記空気清浄機本体に取り付けられているか否かを判断する。
【００１６】
この実施形態の空気清浄機ユニットによれば、上記制御部は、上記清掃部材収納ボックス取付検知部の検知結果に基づいて、上記清掃部材収納ボックスが上記空気清浄機本体に取り付けられているか否かを判断するので、簡単な構成で、清掃部材収納ボックスの取り付けを確実に判断できる。
【００１７】
【００１８】
【００１９】
また、一実施形態の空気清浄機ユニットでは、
上記清掃部材収納ボックスの上記内部空間から上記空気清浄機本体の上記吸込口の一部に吸い込まれる塵埃の量を検知する塵埃量検知部を有し、
上記制御部は、上記塵埃量検知部の検知結果に基づいて、上記清掃部材収納ボックスから上記空気清浄機本体に吸い込まれる塵埃の量が設定値よりも小さいと判断したとき、ターボ運転を停止するように上記運転切換部を制御する。
【００２０】
この実施形態の空気清浄機ユニットによれば、上記制御部は、上記塵埃量検知部の検知結果に基づいて、上記清掃部材収納ボックスから上記空気清浄機本体に吸い込まれる塵埃の量が設定値よりも小さいと判断したとき、ターボ運転を停止するように上記運転切換部を制御するので、清掃部材収納ボックスから空気清浄機本体に吸い込まれる塵埃の量が少ないとき、不要なターボ運転を停止して、消費電力を低減できる。
【００２１】
また、一実施形態の空気清浄機ユニットでは、
上記清掃部材収納ボックスは、磁石を介して、上記空気清浄機本体に着脱可能に取り付けられている。
【００２２】
この実施形態の空気清浄機ユニットによれば、上記清掃部材収納ボックスは、磁石を介して、上記空気清浄機本体に着脱可能に取り付けられているので、簡単な構成で、清掃部材収納ボックスを空気清浄機本体に着脱できる。
【００２３】
また、一実施形態の空気清浄機ユニットでは、
上記清掃部材収納ボックスは、係合機構を介して、上記空気清浄機本体に着脱可能に取り付けられている。
【００２４】
この実施形態の空気清浄機ユニットによれば、上記清掃部材収納ボックスは、係合機構を介して、上記空気清浄機本体に着脱可能に取り付けられているので、簡単な構成で、清掃部材収納ボックスを空気清浄機本体に着脱できる。
【発明の効果】
【００２５】
この発明の空気清浄機ユニットによれば、上記清掃部材収納ボックスは、上記空気清浄機本体に、着脱可能に取り付けられ、上記清掃部材収納ボックスが上記空気清浄機本体に取り付けられた状態で、上記清掃部材収納ボックスの上記内部空間と、上記空気清浄機本体の上記吸込口の一部とは、連通するので、清掃部材収納ボックスを、空気清浄機本体への取り付けまたは取り外しの何れの状態でも、使用できると共に、清掃部材収納ボックスのこの何れの状態の使用でも、空気清浄機本体の本来の機能を損なうことがない。
【図面の簡単な説明】
【００２６】
【図１】本発明の第１実施形態の空気清浄機ユニットを示す斜視図である。
【図２】清掃部材収納ボックスを空気清浄機本体から取り外した状態を示す側面図である。
【図３】空気清浄機ユニットの簡略断面図である。
【図４】本発明の第２実施形態の空気清浄機ユニットを示すブロック図である。
【図５】本発明の第３実施形態の空気清浄機ユニットを示すブロック図である。
【図６】係合機構を示す簡略断面図である。
【発明を実施するための形態】
【００２７】
以下、この発明を図示の実施の形態により詳細に説明する。
【００２８】
（第１の実施形態）
図１は、この発明の一実施形態の空気清浄機ユニットを示す斜視図である。図１に示すように、この空気清浄機ユニットは、空気清浄機本体１と、この空気清浄機本体１に着脱可能に取り付けられる清掃部材収納ボックス２とを有する。
【００２９】
上記空気清浄機本体１は、従来の空気清浄機と同様の構成を有しており、ケーシング１０と、このケーシング１０内に配置された（図示しない）ファンおよび（図３参照の）フィルタ１５とを有する。
【００３０】
上記ケーシング１０には、前面下部の吸込口１１ａと、側面の吸込口１１ｂと、上面の吹出口１１ｃとが設けられている。ケーシング１０の上部には、操作部１２が設けられている。
【００３１】
上記空気清浄機本体１は、上記操作部１２の操作により、ファンが回転して、上記吸込口１１ａ，１１ｂから吸い込んだ空気を、上記フィルタ１５を介して、上記吹出口１１ｃから吹き出す。
【００３２】
上記操作部１２では、空気清浄機本体１の運転の開始または停止の操作のみならず、通常運転やターボ運転の切り換えの操作を行う。通常運転とは、通常の運転状態をいい、１つの運転状態に限らず、複数の運転状態、例えば、大中小の３つの運転状態を含んでいてもよい。ターボ運転とは、通常運転の吸込風量よりも吸込風量の多い運転状態をいう。
【００３３】
上記清掃部材収納ボックス２は、この内部空間に、清掃部材の一例としてのモップ３を収納可能にする。清掃部材収納ボックス２は、この内部空間に収納されたモップ３から、モップ３に付着した塵埃を除去する。
【００３４】
図２は、上記清掃部材収納ボックス２を上記空気清浄機本体１から取り外した状態を示す。図２に示すように、清掃部材収納ボックス２のケーシング２０の側面には、上下のそれぞれに、磁石２７が固定されている。上記空気清浄機本体１のケーシング１０の側面には、上記磁石２７に対応する位置に、金属板１３が固定されている。
【００３５】
そして、上記磁石２７を上記金属板１３に着脱することで、上記清掃部材収納ボックス２を上記空気清浄機本体１の側面に着脱する。これにより、簡単な構成で、清掃部材収納ボックス２を空気清浄機本体１に着脱できる。
【００３６】
上記清掃部材収納ボックス２のケーシング２０の側面には、清掃部材収納ボックス２の内部空間に連通する接続口２８が設けられている。この接続口２８は、上下の磁石２７，２７の間に位置する。
【００３７】
上記空気清浄機本体１のケーシング１０の側面には、上記接続口２８に対応する位置に、吸込口１１ｄが設けられている。この吸込口１１ｄは、上下の金属板１３，１３の間に位置する。なお、この吸込口１１ｄは、例えば、従来の空気清浄機本体の側面の吸込口の一部を施蓋することによって、形成される。
【００３８】
そして、上記清掃部材収納ボックス２が上記空気清浄機本体１に取り付けられた状態で、上記接続口２８と上記吸込口１１ｄとが接続されて、清掃部材収納ボックス２の内部空間と、空気清浄機本体１の吸込口の一部（吸込口１１ｄ）とは、連通する。
【００３９】
図３は、上記空気清浄機ユニットの簡略断面図を示す。図３に示すように、上記空気清浄機本体１において、上記接続口２８に接続される上記吸込口１１ｄは、最も上流側のフィルタ１５の上流側に、連通される。
【００４０】
上記空気清浄機本体１のケーシング１０内には、プラズマ放電部１６が設けられている。このプラズマ放電部１６によって生成されたイオンは、イオン導管１７を介して、フィルタ１５の上流側に、供給される。このイオンによって、空気清浄機本体１内に吸い込まれた空気やフィルタ１５等を、除菌する。
【００４１】
上記清掃部材収納ボックス２は、このケーシング２０内に、上から下へ順に、清掃部材挿入部２１、塵埃除去部２２およびダストボックス部２３を備えている。清掃部材挿入部２１、塵埃除去部２２およびダストボックス部２３によって、清掃部材収納ボックス２の内部空間を構成する。
【００４２】
上記清掃部材挿入部２１には、上から下へ順に、帯電体２４と除電体２５とが設置されている。清掃部材収納ボックス２にモップ３を収納する場合、モップ３が、清掃部材挿入部２１を通過して塵埃除去部２２に挿入されるとき、このモップ３に帯電している静電気は、除電体２５によって除電される。この結果、モップ３に吸着された塵や埃が落ち易くなり、塵埃除去部２２において簡単に除去可能になる。
【００４３】
一方、上記清掃部材収納ボックス２からモップ３を取り出す場合、モップ３が、清掃部材挿入部２１を通過して外に取り出されるとき、このモップ３には、帯電体２４によって静電気が帯電される。この結果、モップ３の吸着力が回復して、直ぐに掃除を始めることが可能になる。
【００４４】
上記塵埃除去部２２には、その内壁から略垂直方向に中央部に向かって延在する複数の櫛材２６が設けられている。塵埃除去部２２にモップ３が挿入されると、モップ３の穂３１の部分が櫛材２６で梳かれて穂３１の繊維に付着している塵や埃が掻き取られる。なお、塵埃除去部２２に櫛材２６を設けなくてもよく、塵埃除去部２２の内壁を、除電性を有する摩擦抵抗の小さな材質で形成するようにしてもよい。
【００４５】
上記ダストボックス部２３には、ダストボックス４０が収納されており、このダストボックス４０内に、モップ３の穂３１から掻き取られた塵や埃が落下して集められる。
【００４６】
上記ダストボックス４０は、空気清浄機本体１の前方側へ、清掃部材収納ボックス２のケーシング２０から抜き差し可能になっており、ダストボックス４０内に集められた塵や埃を捨てる場合に抜き出される。
【００４７】
上記ダストボックス４０には、フィルタ４１が着脱可能に取り付けられている。ダストボックス４０の内部は、このフィルタ４１を介して、上記ケーシング２０の上記接続口２８に連通される。このフィルタ４１によって、モップ３の穂３１から掻き取られた塵や埃のうちフィルタ４１の目よりも大きな塵や埃のみを、ダストボックス４０内に集めることができる。
【００４８】
上記モップ３は、柄３０と、この柄３０に斜め先端方向に向かって取り付けられた穂３１とを有する。この柄３０は、ポリプロピレン等の樹脂で形成されている。この穂３１は、ポリプロピレン等の帯電性を有する素材の網状繊維で形成されている。
【００４９】
上記穂３１には、清掃部材収納ボックス２の帯電体２４によって、静電気が帯電される。穂３１の網状繊維同士の摩擦によっても、穂３１を帯電させることができる。一方、清掃部材収納ボックス２の除電体２５によって、穂３１に帯電している静電気が除電される。
【００５０】
上記構成の空気清浄機ユニットの作用について説明する。
【００５１】
棚やソファー等の家具や床などの埃を、モップ３によって拭き取った後、このモップ３を清掃部材収納ボックス２に収納する。このとき、モップ３に付着している塵埃は、清掃部材収納ボックス２によって、除去される。
【００５２】
そして、上記清掃部材収納ボックス２を上記空気清浄機本体１に取り付けた状態で、空気清浄機本体１を稼働させると、空気清浄機本体１は、室内の空気を清浄すると同時に、清掃部材収納ボックス２内の空気中の埃を除去する。図３中、白抜きの矢印は、空気の流れを示す。
【００５３】
つまり、上記空気清浄機本体１では、室内の空気を、ファンの吸引力によって、吸込口１１ａ，１１ｂから吸い込んで、この空気中の塵埃を、フィルタ１５によって除去すると共に、この空気を、プラズマ放電部１６からのイオンによって除菌して、吹出口１１ｃから排出する。
【００５４】
同時に、上記清掃部材収納ボックス２内の空気を、ファンによって、清掃部材収納ボックス２側の吸込口１１ｄから、フィルタ１５の上流側に引き込む。こうして、清掃部材収納ボックス２からの空気中の埃を、フィルタ１５によって除去する。また、この空気を、プラズマ放電部１６からのイオンによって除菌して、吹出口１１ｃから排出する。
【００５５】
なお、上記清掃部材収納ボックス２内の空気の流れは、清掃部材挿入部２１内の帯電体２４および除電体２５の外側と、塵埃除去部２２内のモップ３の穂３１の外側と、ダストボックス部２３内のダストボックス４０内とを、順に通過する。
【００５６】
上記構成の空気清浄機ユニットによれば、上記清掃部材収納ボックス２は、上記空気清浄機本体１に、着脱可能に取り付けられているので、清掃部材収納ボックス２の空気清浄機本体１への取り付け状態、または、清掃部材収納ボックス２の空気清浄機本体１からの取り外し状態の何れの状態でも、清掃部材収納ボックス２を使用できる。例えば、清掃部材収納ボックス２を、空気清浄機本体１から取り外すことで、清掃部材収納ボックス２を、所望の場所に持ち運んで使用することができる。一方、清掃部材収納ボックス２を、空気清浄機本体１に取り付けておくことで、清掃部材収納ボックス２を見失うことがない。
【００５７】
そして、上記清掃部材収納ボックス２が上記空気清浄機本体１に取り付けられた状態で、上記清掃部材収納ボックス２の上記内部空間と、上記空気清浄機本体１の上記吸込口の一部（吸込口１１ｄ）とは、連通している。これにより、空気清浄機本体１に清掃部材収納ボックス２を取り付けた状態で、空気清浄機本体１は、その吸込口の一部（吸込口１１ｄ）から、清掃部材収納ボックス２の内部空間の塵埃を吸引すると同時に、その吸引口の他部（吸込口１１ａ，１１ｂ）から、室内の空気を吸引することができる。このように、空気清浄機本体１に清掃部材収納ボックス２を取り付けても、空気清浄機本体１の室内の空気を清浄するという本来の機能は、損なわれない。言い換えると、清掃部材収納ボックス２内の塵埃を吸引させるために、空気清浄機本体１による室内の空気の清浄を一旦止めなくてもよく、室内の空気の清浄を行ったまま、清掃部材収納ボックス２内の塵埃を吸引できる。
【００５８】
したがって、清掃部材収納ボックス２を、空気清浄機本体１への取り付けまたは取り外しの何れの状態でも、使用できると共に、清掃部材収納ボックス２のこの何れの状態の使用でも、空気清浄機本体１の本来の機能は、損なわれない。
【００５９】
（第２の実施形態）
図４は、この発明の第２実施形態の空気清浄機ユニットを示すブロック図である。上記第１の実施形態と相違する点を説明すると、この第２の実施形態では、空気清浄機本体のターボ運転を制御している。なお、その他の構造は、上記第１の実施形態と同じであるため、その説明を省略する。
【００６０】
図４に示すように、空気清浄機本体１Ａは、上記第１実施形態の構成に加えて、運転切換部５１と、リミットスイッチ５２と、制御部５０Ａとを備える。
【００６１】
上記運転切換部５１は、（上記第１実施形態で説明した）上記ターボ運転の開始または停止を切り換える。
【００６２】
上記リミットスイッチ５２は、清掃部材収納ボックス取付検知部の一例であり、清掃部材収納ボックス２が空気清浄機本体１Ａに取り付けられているか否かを検知する。リミットスイッチ５２は、例えば、図３の仮想線に示すように、空気清浄機本体１Ａの下側に取り付けられている。
【００６３】
上記制御部５０Ａは、上記リミットスイッチ５２の検知結果に基づいて、清掃部材収納ボックス２が空気清浄機本体１Ａに取り付けられているか否かを判断する。これによって、簡単な構成で、清掃部材収納ボックス２の取り付けを確実に判断できる。
【００６４】
具体的に述べると、上記制御部５０Ａは、清掃部材収納ボックス２が空気清浄機本体１Ａに取り付けられていると判断したとき、ターボ運転を開始するように運転切換部５１を制御する。これによって、清掃部材収納ボックス２を空気清浄機本体１Ａに取り付けたとき、清掃部材収納ボックス２内の塵埃を、迅速かつ確実に、吸引できる。
【００６５】
一方、上記制御部５０Ａは、清掃部材収納ボックス２が空気清浄機本体１Ａから取り外されていると判断したとき、ターボ運転を停止するように運転切換部５１を制御する。これによって、清掃部材収納ボックス２を空気清浄機本体１Ａから取り外したとき、不要なターボ運転を停止して、消費電力を低減できる。
【００６６】
（第３の実施形態）
図５は、この発明の第３実施形態の空気清浄機ユニットを示すブロック図である。上記第２の実施形態と相違する点を説明すると、この第３の実施形態では、さらに、塵埃検出センサを有している。なお、その他の構造は、上記第１、上記第２の実施形態と同じであるため、その説明を省略する。
【００６７】
図５に示すように、空気清浄機本体１Ｂは、上記第１実施形態の構成に加えて、運転切換部５１と、リミットスイッチ５２と、塵埃検出センサ５３と、制御部５０Ｂとを備える。
【００６８】
上記運転切換部５１および上記リミットスイッチ５２は、上記第２実施形態で説明しているため、その説明を省略する。
【００６９】
上記塵埃検出センサ５３は、塵埃量検知部の一例であり、清掃部材収納ボックス２の内部空間から空気清浄機本体１の吸込口の一部（吸込口１１ｄ）に吸い込まれる塵埃の量を検知する。塵埃検出センサ５３は、例えば、赤外線センサである。塵埃検出センサ５３は、例えば、図３の仮想線に示すように、空気清浄機本体１Ａの吸込口１１ｄとフィルタ１５の間の空気通路に取り付けられている。
【００７０】
上記制御部５０Ｂは、上記リミットスイッチ５２の検知結果に基づいて、清掃部材収納ボックス２が空気清浄機本体１Ｂに取り付けられていると判断したとき、ターボ運転を開始するように運転切換部５１を制御する。これによって、清掃部材収納ボックス２を空気清浄機本体１Ｂに取り付けたとき、清掃部材収納ボックス２内の塵埃を、迅速かつ確実に、吸引できる。
【００７１】
一方、上記制御部５０Ｂは、上記塵埃検出センサ５３の検知結果に基づいて、清掃部材収納ボックス２から空気清浄機本体１Ｂに吸い込まれる塵埃の量が設定値よりも小さいと判断したとき、ターボ運転を停止するように運転切換部５１を制御する。これによって、清掃部材収納ボックス２から空気清浄機本体１Ｂに吸い込まれる塵埃の量が少ないとき、不要なターボ運転を停止して、消費電力を低減できる。
【００７２】
なお、この発明は上述の実施形態に限定されない。例えば、上記第１から上記第３の実施形態のそれぞれの特徴点を様々に組み合わせてもよい。また、清掃部材として、モップ以外に、ハタキなどであってもよい。
【００７３】
上記第１の実施形態において、清掃部材収納ボックスを、磁石を介して、空気清浄機本体に着脱可能に取り付けていたが、図６に示すように、清掃部材収納ボックス２を、係合機構６０を介して、空気清浄機本体１に着脱可能に取り付けるようにしてもよい。
【００７４】
上記係合機構６０としては、互いに係合可能な凹部６１および凸部６２を有し、この凹部６１を、空気清浄機本体１のケーシング１０に設け、この凸部６２を、清掃部材収納ボックス２のケーシング２０に設ける。これによって、簡単な構成で、清掃部材収納ボックス２を空気清浄機本体１に着脱できる。
【００７５】
なお、上記凹部６１を、清掃部材収納ボックス２のケーシング２０に設け、上記凸部６２を、空気清浄機本体１のケーシング１０に設けるようにしてもよい。
【００７６】
上記第２、上記第３の実施形態において、清掃部材収納ボックス取付検知部として、リミットスイッチでなく、赤外線センサ等を用いてもよい。
【００７７】
また、清掃部材収納ボックス取付検知部や塵埃量検知部を、空気清浄機本体側でなく、清掃部材収納ボックス側に取り付けるようにしてもよい。
【００７８】
また、制御部を、清掃部材収納ボックス取付検知部以外の他の手段により、清掃部材収納ボックスが空気清浄機本体に取り付けられていると判断するようにしてもよい。
【００７９】
また、清掃部材収納ボックスを空気清浄機本体から取り外したとき、清掃部材収納ボックス取付検知部や塵埃量検知部でなく、手動によって、ターボ運転を停止するようにしてもよい。
【００８０】
また、清掃部材収納ボックスを空気清浄機本体に取り付けたとき、制御部でなく、手動によって、ターボ運転を開始するようにしてもよい。また、上記実施形態では、空気清浄機本体として、プラズマ放電部を設けたが、プラズマ放電部を設けなくてもよい。
【符号の説明】
【００８１】
１，１Ａ，１Ｂ  空気清浄機本体
１０  ケーシング
１１ａ  （前面下部の）吸込口
１１ｂ  （側面の）吸込口
１１ｃ  （上面の）吹出口
１１ｄ  （清掃部材収納ボックス側の）吸込口
１２  操作部
１３  金属板
１５  フィルタ
１６  プラズマ放電部
１７  イオン導管
２  清掃部材収納ボックス
２０  ケーシング
２１  清掃部材挿入部
２２  塵埃除去部
２３  ダストボックス部
２４  帯電体
２５  除電体
２６  櫛材
２７  磁石
２８  接続口
３  モップ（清掃部材）
３０  柄
３１  穂
４０  ダストボックス
４１  フィルタ
５０Ａ，５０Ｂ  制御部
５１  運転切換部
５２  リミットスイッチ（清掃部材収納ボックス取付検知部）
５３  塵埃検出センサ（塵埃量検知部）
６０  係合機構
６１  凹部
６２  凸部
【図１】
0005720602.tif 000002
【図２】
0005720602.tif 000003
【図３】
0005720602.tif 000004
【図４】
0005720602.tif 000005
【図５】
0005720602.tif 000006
【図６】
0005720602.tif 000007